(57)【要約】【課題】  通信機がＩＣカードよりも小型で、通信機の報知用照明手段の発する光を視認することができるようにする。【解決手段】  ＩＣカードリーダ３を立てた状態に保持するスタンド１４において、ＩＣカードリーダ３を保持する前堤部１６の左右方向中央部に谷部２１を設け、ＩＣカード５が前堤部１６の上部とＩＣカードリーダ３との間に形成された挿入溝に挿入された状態で、ＩＣカードリーダ３の表示窓９を前方から見得るようにする。ＩＣカードリーダ３内の報知用ＬＥＤが点灯すると、その光を表示窓９を介して見ることができる。【選択図】  図３
2006113727.tif 000002
【特許請求の範囲】
【請求項１】
非接触ＩＣカードと電磁波で通信するＩＣカードリーダ装置において、
ＩＣカードと通信する通信面と、この通信面の近傍に配置され通信状況を光で通知する発光部と、ＩＣカードを前記通信面の近傍に保持するＩＣカード保持手段と、ＩＣカードの保持位置が前記発光部を覆わない位置になるようにＩＣカードの位置を規制する発光開口部確保手段と、前記発光部から発せられる光を前記通信面側に誘導する光通路形成手段とを備えてなるＩＣカードリーダ装置。
【請求項２】
前記ＩＣカード保持手段は、前記通信面がＩＣカードを載せる平面であることにより構成されると共に、前記通信面と反対側に平板状の支持手段を有し、
前記発光開口部確保手段は、前記発光部が前記通信面とは異なる方向に発光するように設置されることで形成され、
前記光通路形成手段は、前記支持手段に設置された反射部により構成され、
前記発光部から発せられる光の少なくとも一部が、前記反射部に向って発せられることで、前記発光部が発する光のうち少なくとも一部を、前記通信面側に誘導することを特徴とする請求項１記載のＩＣカードリーダ装置。
【請求項３】
前記支持手段は平板状の構造で、前記通信面と分離可能に構成され、
前記支持手段には、前記通信面において発生される電磁波の放射を制限するための磁性粉が混在することを特徴とする請求項２記載のＩＣカードリーダ装置。
【請求項４】
前記通信面を、ほぼ垂直に保持するための着脱可能な支持手段を有し、
前記支持手段は、前後に対向する前堤部と後堤部とを突設し、それら前堤部と後堤部の間の空間に前記通信面を保持するための保持凹部を有し、
前記ＩＣカード保持手段は、前記前堤部と前記保持凹部に保持される前記通信面とにより形成され、
前記発光部は、前記前堤部の上端よりも低い位置で且つ前記保持凹部よりも高い位置に形成され、
前記発光開口部確保手段は、ＩＣカードの下端が前記発光部の下端よりも上に保つように、前記前堤部の下部が前記保持凹部の底面および前記発光部の下端よりも高い位置に構成され、
前記光通路形成手段は、前記発光部の前面に光を透過させるように構成されることを特徴とする請求項１記載のＩＣカードリーダ装置。
【請求項５】
前記前堤部が透光性を有するように形成されると共に、
前記光通路形成手段は、前記前堤部の内部を前記発光部が発する光を通過させるように構成されていることを特徴とする請求項４記載のＩＣカードリーダ装置。
【請求項６】
前記光通路形成手段は、少なくとも前記発光部の一部を覆わないための光透過凹部が前記前堤部に形成されていることにより構成されることを特徴とする請求項４記載のＩＣカードリーダ装置。
【請求項７】
前記光通路形成手段は、前記前堤部に形成されている前記光透過凹部を形成する面の一部が反射することにより形成されていることを特徴とする請求項６記載のＩＣカードリーダ装置。
【請求項８】
前記通信面を、ほぼ垂直に保持するための着脱可能な支持手段を有し、
前記支持手段は前後に対向する前堤部と後堤部とを突設し、それら前堤部と後堤部の間の空間に前記通信面を保持するための保持凹部を有し、
前記ＩＣカード保持手段は、前記前堤部と前記保持凹部に保持される前記通信面とにより形成され、
前記発光開口部確保手段は、前記発光部が前記通信面とは異なる方向に発光するように設置されることで形成され、
前記光通路形成手段は、前記支持手段が透光性を有して、光経路を形成することで、前記発光部が発する光を前記通信面側に誘導するように構成されることを特徴とする請求項１記載のＩＣカードリーダ装置。
【請求項９】
前記光経路は、前記支持手段により、屈折および／または反射させることで形成されることを特徴とする請求項８記載のＩＣカードリーダ装置。
【請求項１０】
前記支持手段は、前記発光部から放射された光を支持手段の内部に拡散するための拡散形状が形成されていることを特徴とする請求項９記載のＩＣカードリーダ装置。
【請求項１１】
非接触ＩＣカードと電磁波で通信するＩＣカードリーダであって、ＩＣカードと通信する通信面と、この通信面の近傍に配置され通信状況を光により通知する発光部とを有したＩＣカードリーダを搭載するための搭載具において、
前記ＩＣカードを前記通信面の近傍に保持するための前記ＩＣカード保持手段の一部を形成する保持手段形成部と、
ＩＣカードの保持位置が前記発光部を覆わない位置になるようにＩＣカードの位置を規制する発光開口部確保手段と、
前記発光部から発せられる光を前記通信面側に誘導する光通路形成手段と、
を備えてなるＩＣカードリーダ用搭載具。
【請求項１２】
前記保持手段形成部は、前記通信面がＩＣカードを載せる平面により構成された前記ＩＣカードリーダを載せる平面状の支持面から構成され、
前記発光開口部確保手段は、前記支持面に設置された反射部により構成され、
前記発光部から発せられる光の少なくとも一部が前記反射部に向って発せられることで前記発光部が発する光のうち少なくとも一部を前記通信面側に誘導することを特徴とする請求項１１記載のＩＣカードリーダ用搭載具。
【請求項１３】
前記ＩＣカードリーダの前記通信面において発生される電磁波の放射を制限するための磁性粉が混在することを特徴とする請求項１２記載のＩＣカードリーダ用搭載具。
【請求項１４】
前記ＩＣカードリーダを前記通信面がほぼ垂直となるように着脱可能に保持するための支持手段を有し、
前記支持手段は、前後に対向する前堤部と後堤部とを突設し、それら前堤部と後堤部の間の空間に前記ＩＣカードリーダを保持するための保持凹部を有し、
前記ＩＣカード保持手段の一部を構成する保持手段形成部は、前記前堤部により構成され、当該前堤部と前記保持凹部に保持される前記ＩＣカードリーダの前記通信面とにより前記ＩＣカード保持手段が形成され、
前記ＩＣカードリーダが前記保持凹部に保持された状態において、前記前堤部の上端よりも低い位置で且つ前記保持凹部よりも高い位置に存在する前記発光部に対し、前記発光開口部確保手段は、ＩＣカードの下端が前記発光部の下端よりも上に保つように、前記前堤部の下部が前記保持凹部の底面および前記発光部の下端よりも高い位置に構成され、
前記光通路形成手段は、前記発光部の前面に光を透過させるように構成されることを特徴とする請求項１１記載のＩＣカードリーダ用搭載具。
【請求項１５】
前記前堤部が透光性を有するように形成されると共に、
前記光通路形成手段は、前記前堤部の内部を前記発光部が発する光を通過させるように構成されていることを特徴とする請求項１４記載のＩＣカードリーダ用搭載具。
【請求項１６】
前記光通路形成手段は、少なくとも前記発光部の一部を覆わないための光透過凹部が前記前堤部に形成されていることにより構成されることを特徴とする請求項１４記載のＩＣカードリーダ用搭載具。
【請求項１７】
前記光通路形成手段は、前記前堤部に形成されている前記光透過凹部を形成する面の一部が反射することにより形成されていることを特徴とする請求項１６記載のＩＣカードリーダ用搭載具。
【請求項１８】
前記ＩＣカードリーダをその前記通信面がほぼ垂直となるように着脱可能に保持する支持手段を有し、
前記支持手段は前後に対向する前堤部と後堤部とを突設し、それら前堤部と後堤部の間の空間に前記ＩＣカードリーダを保持するための保持凹部を有し、
前記ＩＣカード保持手段の一部を構成する保持手段形成部は、前記前堤部により構成され、当該前堤部と前記保持凹部に保持される前記ＩＣカードリーダの前記通信面とにより前記ＩＣカード保持手段が形成され、
前記発光開口部確保手段は、前記ＩＣカードリーダが前記保持凹部に保持された状態において、前記発光部が前記通信面とは異なる方向に発光するように設置されることで形成され、
前記ＩＣカードリーダが前記保持凹部に保持された状態において、前記通信面とは異なる方向に発光する前記発光部に対し、前記光通路形成手段は、前記支持手段が透光性を有して、光経路を形成することで、前記発光部が発する光を前記通信面側に誘導するように構成されることを特徴とする請求項１１記載のＩＣカードリーダ用搭載具。
【請求項１９】
前記光経路は、前記支持手段により、屈折および／または反射させることで形成されることを特徴とする請求項１８記載のＩＣカードリーダ用搭載具。
【請求項２０】
前記支持手段は、前記発光部から放射された光を支持手段の内部に拡散するための拡散形状が形成されていることを特徴とする請求項１９記載のＩＣカードリーダ用搭載具。
【発明の詳細な説明】
【技術分野】
【０００１】
本発明は、ＩＣカードリーダ装置およびＩＣカードリーダ用搭載具に係り、特に通信状況を通知する光をユーザが見ることができるようにしたものに関する。
【背景技術】
【０００２】
例えば、電子通貨を格納した顧客のＩＣカードから電子通貨による支払いを受けるために使用するＩＣカードリーダライタには、ＩＣカード挿入口とは別に、電源表示用ＬＥＤや操作キーや液晶表示部を設けたものがある（例えば、特許文献１参照。）。
【特許文献１】特開２０００−２０７６１４号公報
【発明の開示】
【発明が解決しようとする課題】
【０００３】
操作キーや液晶表示部などを設けていない薄型のＩＣカードリーダには、表面を通信面とし、その通信面にＩＣカードを接触させて電磁結合により通信する形式のものがある。この薄型のＩＣカードリーダでは、表示窓を通信面の角部などに設置してＩＣカードを通信面に置いた場合でも、電源表示用ＬＥＤの点灯（電源投入）をユーザが容易に確認できるようにしている。しかしながら、最近では、ＩＣカードリーダの小型化が進み、電源表示用ＬＥＤの表示窓が小さくなり、見え難くなってきている。ＩＣカードリーダの小型化が更に進むと、リーダがＩＣカードよりも小さくなり、表示窓がＩＣカードによって隠されてしまうという事態すら生ずる。
【０００４】
本発明は上記の事情に鑑みてなされたもので、その目的は、通信面がＩＣカードよりも小型になっても、ユーザが発光部が発する光を容易に視認することができるＩＣカードリーダ装置およびＩＣカードリーダ用搭載具を提供することにある。
【課題を解決するための手段】
【０００５】
請求項１の発明は、非接触ＩＣカードと電磁波で通信するＩＣカードリーダ装置において、ＩＣカードと通信する通信面と、この通信面の近傍に配置され通信状況を光で通知する発光部と、ＩＣカードとを前記通信面の近傍に保持するＩＣカード保持手段と、ＩＣカードの保持位置が前記発光部を覆わない位置になるようにＩＣカードの位置を規制する発光開口部確保手段と、前記発光部から発せられる光を前記通信面側に誘導する光通路形成手段とを備えてなる。
【０００６】
また、請求項１１の発明は、非接触ＩＣカードと電磁波で通信するＩＣカードリーダであって、ＩＣカードと通信する通信面と、この通信面の近傍に配置され通信状況を光により通知する発光部とを有したＩＣカードリーダを搭載するための搭載具において、前記ＩＣカードを前記通信面の近傍に保持するための前記ＩＣカード保持手段の一部を形成する保持手段形成部と、ＩＣカードの保持位置が前記発光部を覆わない位置になるようにＩＣカードの位置を規制する発光開口部確保手段と、前記発光部から発せられる光を前記通信面側に誘導する光通路形成手段と、を備えてなるＩＣカードリーダ用搭載具にある。
【０００７】
上記請求項１および１１の発明によれば、ＩＣカードが発光部を覆わない位置となるようにＩＣカードの位置が規制され、発光部が発する光が光通路形成手段によって通信面側に誘導されるので、通信面がＩＣカードよりも小型であっても、ユーザは発光部が発する光を容易に視認することができる。
【０００８】
請求項２および１２の発明によれば、通信面が上向きの平面で、その通信面の上に直接ＩＣカードを置いて通信する平置きタイプとして簡易に構成することができ、しかも、ＩＣカードが通信面を覆い隠しても、発光部が発する光を視認することができる。
請求項３および１３の発明によれば、金属製の机の上で使用しても、磁性粉により、通信面が金属製の机と電磁結合して通信障害を起すといった不具合を防止することができる。
請求項４および１４の発明によれば、通信面がほぼ垂直となるように保持する縦置きタイプのものであっても、ＩＣカードが発光部を覆わないようにすることができるので、発光部の発する光を見ることができる。
請求項５および１５の発明によれば、前堤部を透光性を有する材料で形成することによって、容易に光通路形成手段を構成することができる。
【０００９】
請求項６および１６の発明によれば、前堤部に発光部の一部を覆わないための光透過凹部を形成することによって、容易に光通路形成手段を構成することができる。
請求項７および１７の発明によれば、光透過凹部の面の一部が光を反射させるので、発光部の光をより明瞭に視認することができる。
請求項８および１８の発明によれば、発光部からの光が支持手段の内部を通って通信面側に誘導されるので、広い範囲を光らせることができる。
請求項９および１９の発明によれば、屈曲／反射によってより広い範囲を光らせることができる。
請求項１０および２０の発明によれば、拡散によって発光部からの光で一層広い範囲を光らせることができる。
【発明を実施するための最良の形態】
【００１０】
（第１の実施例）
図１および図２は本発明の第１の実施例を示す。なお、本実施例は、請求項１ないし３，１１ないし１３に対応するものである。図１および図２に示すように、ＩＣカードリーダ装置１は、支持手段としての搭載具、この場合、マット２と、このマット２上に分離可能（着脱可能）に載置されるＩＣカードリーダ３とからなる。なお、ＩＣカードリーダ３は、ライタ機能も有する。
【００１１】
ＩＣカードリーダ３は、偏平な矩形状のケース４を主体とするもので、このケース４内に、ＩＣカード５との通信や、通信によってＩＣカード５に対して読み書きするための各種の電子装置を搭載したプリント配線基板６を収納している。
ＩＣカードリーダ３は、ケース４の上面を通信面７としている。この通信面７の裏側にコイルアンテナ（図示せず）が配設されており、このコイルアンテナから通信のための電波（磁界）を放射するようになっている。ＩＣカード５は、通信機能を有し、ＩＣカードリーダ３と電磁結合により通信する。そして、ＩＣカードリーダ３と通信して読み書きする際には、ＩＣカード５は、図１に二点鎖線で示すように、ＩＣカードリーダ３の通信面７上に載置される。
【００１２】
また、ＩＣカードリーダ３のケース４内に配設されたプリント配線基板６の前部には、電源が投入された場合に発光してその電源投入や通信の成功や失敗を報知するための発光素子としてのＬＥＤ８が取り付けられている。そして、ケース４の前部下側に、ＬＥＤ８に対向する斜め下向きの小孔からなる表示窓９が形成されており、ＬＥＤ８がオンされたとき、そのＬＥＤ８が発する光は、表示窓９を通して外部に放射されるようになっている。従って、ＬＥＤ８と表示窓９は、電源投入や通信状況を光で報知する発光部１０として機能する。
【００１３】
さて、図１は、机１１の上にＩＣカードリーダ３を置いた状態を示している。この場合、ＩＣカードリーダ３は、机１１の上に直接置くのではなく、机１１の上に置かれたマット２の上面、つまり平面状の支持面１２上に載置されている。マット２は、鉄粉やフェライト粉などの磁性粉をバインダとしてのプラスチックにより固めて平板状に形成したもので、可撓性を有している。なお、マット２のバインダを構成するプラスチックとして、摩擦係数の大きい材料を選択することによって、マット２が机１１上で滑らないようにすることができると共に、ＩＣカードリーダ３がマット２上で滑らないようにすることができる。
【００１４】
ここで、ＩＣカード５とＩＣカードリーダ３との通信時、ＩＣカード５はＩＣカードリーダ３の通信面７上に載置される。このＩＣカード５を載置する平面状の通信面７は、ＩＣカード５を保持するＩＣカード保持手段を構成すると共に、通信面７が上向きとなるように支持するマット２の支持面１２は、ＩＣカード５を通信面７に載置するためのＩＣカード保持手段の一部を構成している。また、表示窓９を斜め下向きに形成したことは、発光部１０がＩＣカード５によって覆われずに発光部１０が通信面７と異なる方向（斜め下方）に発光するように設置された発光開口部確保手段を構成する。
【００１５】
上記マット２の上面の前部、即ちＩＣカードリーダ３をマット２の中央に載せたとき、その表示窓９の直下から前方にかけての部分には、反射部としての反射用シート１３が貼り付けられている。この反射用シート１３は、表示窓９から斜め下向きに放射されるＬＥＤ８の光をユーザが見得るようにする光通路形成手段として機能し、その表示窓９から放射される光を図１に矢印Ａで示すように通信面７側（前方斜め上方）に反射して、ＩＣカードリーダ３の通信面７よりも高い位置にいるユーザがＬＥＤ８の光を見得るようにする。
【００１６】
このように本実施例によれば、マット２に反射用シート１３を設け、この反射用シート１３により表示窓９から放射されるＬＥＤ８の光を反射してユーザの目に入るようにする。このため、ＩＣカード５をＩＣカードリーダ３上に載せて両者間で通信する場合、図２に示すように、ＩＣカード５が大型でＩＣカードリーダ３を隠してしまったとしても、ＩＣカードリーダ３に電源が投入されているか否かを容易に確認できる。
また、マット２は、磁性粉をバインダによって固めて構成されているので、机１１が鉄板などの金属製であっても、ＩＣカードリーダ３のコイルアンテナと机１１とが電磁的に結合してＩＣカード５との通信を妨げるといった不具合の発生を効果的に防止する。
【００１７】
（第２の実施例）
図３ないし図６は本発明の第２の実施例を示す。この実施例は、請求項１，４，６，１１，１４，１６に対応するものである。なお、この実施例では、ＩＣカードリーダ３については、前述の第１の実施例と同一機能部分には同一符号を付して示し、詳細な説明は省略するが、第１の実施例との相違は、表示窓９がケース４の通信面７中、その前縁部（図３および図４で下縁部）寄りの左右方向中央に位置して設けられているところにある。
【００１８】
図３および図４は、ＩＣカードリーダ３を立てた状態に保持したＩＣカードリーダ用搭載具としてのＩＣカードリーダ用スタンド（以下、単にスタンドと言う。）１４を示す。このスタンド１４の本体１５には、図５にも示すように、前後に対向する前堤部１６と後堤部１７とが突設されており、これら両堤部１６および１７間の空間は、通信面７がほぼ垂直となるようにＩＣカードリーダ３を立てた状態に保持する支持手段としての保持凹部１８としている。
【００１９】
また、前堤部１６の保持凹部１８側の側面には、段付凹部１９が形成されている。この段付凹部１９は、保持凹部１８内にＩＣカードリーダ３を挿入して立てた状態に保持したとき、前堤部１６とＩＣカードリーダ３の通信面７との間にＩＣカード挿入溝２０を確保する。このＩＣカード挿入溝２０は、ＩＣカード５を通信面の近傍に保持するＩＣカード保持手段を構成し、ＩＣカード挿入溝２０の前面部を構成する前堤部１６は、ＩＣカード保持手段の一部である保持手段形成部を構成する。
【００２０】
上記段付凹部１９の段部面１９ａは、保持凹部１８の底面よりも所定高さだけ高い位置になるように定められている。この段部面１９ａの高さ位置は、ＩＣカードリーダ３の通信面７が前側で且つ表示窓９が下側になるようにして、当該ＩＣカードリーダ３のケース４を保持凹部１８に保持させたとき、図３に示すように、段部面１９ａが表示窓９よりも上方となるような位置に定められている。従って、段部面１９ａは、ＩＣカード５の下端が発光部１０よりも高い位置に保持する発光開口部確保手段として機能する。
【００２１】
ここで、スタンド１４の前堤部１６は、図６にも示すように、左右方向中央部の谷部２１によって左右に分離された形態となっている。この谷部２１の底面は、保持凹部１８の底面と面一になっている。従って、ＩＣカード５がＩＣカード挿入溝２０に挿入されて段部面１９ａに受けられた状態になっていても、ＩＣカード５の下方（段部面１９ａの下方）に表示窓９を前方から見得るようにする空間２２（光通路形成手段）が谷部（光透過用凹部）２２によって形成される。
【００２２】
以上構成のスタンド１４において、ＩＣカード５とＩＣカードリーダ３との通信によりＩＣカード５に対して読み書きする場合、スタンド１４の前堤部１６とＩＣカードリーダ３との間に形成されているＩＣカード挿入溝２０内にＩＣカード５を挿入する。すると、このＩＣカード５は、段付凹部１９の段部面１９ａに受け止められ、それ以上、下がらないようになされる。このため、ＩＣカード５が挿入溝２０に挿入されていても、ＬＥＤ８の光は、図３の矢印Ｂに示すように、表示窓９から谷部２１によって確保された空間２２を通じて前方に放射されるので、ユーザは、空間２２を通じてＬＥＤ８の点灯を容易に確認することができる。
【００２３】
なお、図ではＩＣカードリーダ３のケース４を垂直にして描いており、この状態では、スタンド１４の本体１５の底面は傾いている。このため、スタンド１４の本体１５を机の上などに設置した場合、本体１５は前後の両堤部１６，１７が後へ傾いた状態となるため、ケース４は斜め上向きに傾いた状態となってスタンド１４に保持されるものである。
【００２４】
（第３の実施例）
図７は本発明の第３の実施例を示す。この実施例は、請求項７，１７に対応する。この第３の実施例は、上述の第２の実施例の変形例に相当するもので、第２の実施例との相違は、谷部２１の底面に反射用シート（反射部）２３を設け、この反射用シート２３によって表示窓９から放射されるＬＥＤ８の光を矢印Ｃのようにも反射して、ＬＥＤ８の点灯をより容易にユーザが視認できるようにしたところにある。
【００２５】
（第４の実施例）
図８ないし図１０は本発明の第４の実施例を示す。この実施例は、請求項５，８，１５，１８に対応するものである。なお、この実施例は、前述の第２の実施例と同様に、ＩＣカードリーダ３をスタンド１４に立てた状態に保持する形態のもので、第２の実施例と異なるところは、第１に、ＩＣカードリーダ３の表示窓９を前側面（図８〜図１０で下側面）に形成したこと、第２に、スタンド１４の本体１５を透明或は半透明のプラスチックなどの透光性ある材料により形成したこと、にある。
【００２６】
このようにスタンド１４の本体１５を透光性のある材料で形成すると、表示窓９から下向きに放射されたＬＥＤ８からの光は、図１０に矢印Ｄで示すように、本体１５の保持凹部１８の底面壁１８ａ、本体１５内の空間を透過し、そして矢印Ｅで示すように、本体１５の底面壁１５ａの上表面および下表面において斜め上方に反射し、その反射光は矢印  Ｆで示すように谷部２１の底面壁２１ａや、前堤部１６を透過してユーザの目に入るようになる。
【００２７】
この本体１５を透光性を有する材料で形成し、発光部１０からの光が本体１５内を通過するようにする構成は、光通路形成手段に相当する。また、本体１５それ自身は光通路を形成する。
【００２８】
（第５および第６の実施例）
図１１は本発明の第５の実施例、図１２は本発明の第６の実施例を示す。これら両実施例は上述の第４の実施例の変形例であり、請求項９，１９に相当する。まず、図１１の第５の実施例は、保持凹部１８の底面壁１８ａのうち表示窓９に対向する部分を、下方に凸となる球状部（球面部）２４に形成したものである。また、図１２の第６の実施例は、保持凹部１８の底壁部１８ａの上面に球状凹部（球面部）２５を形成したものである。
このようにすると、ＬＥＤ８からの光が球状部２４、球状凹部２５において、図に矢印で示すように屈折して拡散されるので、本体１５のより広い範囲をＬＥＤ８の光によって照らすことができてＬＥＤ８の点灯の有無を容易に知ることができる。
【００２９】
（第７および第８の実施例）
図１３は本発明の第７の実施例、図１４は本発明の第８の実施例を示す。これら両実施例は、請求項１０，２０に相当する。まず、図１３の第７の実施例は、保持凹部１８の底面壁１８ａおよび谷部２１の底面壁２１ａの上面を拡散形状、例えば波形の凹凸状部２６に形成したものである。また、図１４の第８の実施例は、保持凹部１８の底面壁１８ａおよび谷部２１の底面壁２１ａの上面を波形の凹凸状部２６に形成することに加えて、それらの底面壁１８ａおよび２１ａの下面に三角形状の突起２７を形成したものである。
【００３０】
このようにすれば、発光部１０からの光が凹凸状部２６によって保持凹部１８の底面壁１８ａおよび谷部２１の底面壁２１ａの内部に拡散されるので、より広い範囲から発光部１０の光を放射することができる（矢印参照）。更に、第８の実施例では、三角形状の突起２７によって光を本体１５内において前方に放射するので、本体１５の前面をより広い範囲に渡って光らせることができる。
【００３１】
（その他の実施例）
なお、本発明は上記し且つ図面に示す実施例に限定されるものではなく、次のような拡張或は変更が可能である。
マット２の上面全体に反射用シート１３が貼り付けられていても良い。
表示窓９は、透光材によって塞いでも良い。
図３〜図６の第２の実施例において、前堤部１６を透明或は半透明の材料で形成すれば、谷部２１は設けなくても良い。
図８〜図１０の第４の実施例において、段付凹部１９の段部面１９ａの位置はどこでも良い。
図８〜図１０の第４の実施例において、本体１５は不透明なものであっても良い。この場合には、矢印Ｄ〜Ｆに示すように光が通過する部分を透明或は半透明にするか、または透孔にすれば良い。
ＩＣカードリーダ３を搭載するための搭載具としては、マット２、スタンド１４に限られない。
ＬＥＤ８は、電源投入報知のためのものに限られない。ＩＣカード５との通信終了、その通信の良否などを報知するものであっても良い。また、報知用のＬＥＤの数は１個に限られず、複数個あっても良い。
ＩＣカードリーダと支持手段を構成する部材とは一体で、分離できないものであっても良い。
【図面の簡単な説明】
【００３２】
【図１】本発明の第１の実施例を示すもので、机の上にＩＣカードリーダを載置した状態の縦断測面図
【図２】ＩＣカードリーダの平面図
【図３】本発明の第２の実施例を示すもので、ＩＣカードリーダをスタンドに保持した状態の縦断側面図
【図４】同正面図
【図５】図４のＡ−Ａ線に沿って切断して示すスタンドの縦断側面図
【図６】スタンドの正面図
【図７】本発明の第３の実施例を示す図３相当図
【図８】本発明の第４の実施例を示す図３相当図
【図９】図４相当図
【図１０】光の通路を示す要部の拡大断面図
【図１１】本発明の第５の実施例を示すスタンドの要部の縦断側面図
【図１２】本発明の第６の実施例を示す図１１相当図
【図１３】本発明の第７の実施例を示す図１０相当図
【図１４】本発明の第８の実施例を示す図１０相当図
【符号の説明】
【００３３】
図面中、１はＩＣカードリーダ装置、２はマット（搭載具）、３はＩＣカードリーダ、４はケース、５はＩＣカード、７は通信面、８はＬＥＤ、９は表示窓、１０は発光部、１２は支持面（支持手段）、１３は反射用シート（反射部、光通路形成手段）、１４はスタンド（ＩＣカードリーダ用搭載具）、１５は本体、１６は前堤部（保持手段形成部）、１７は後堤部、１８は保持凹部（支持手段）、１９は段付凹部、１９ａは段部面（発光開口部確保手段）、２０はＩＣカード挿入溝（ＩＣカード保持手段）、２１は谷部（光透過用凹部）、２２は空間（光通路形成手段）、２３は反射用シート（反射部）、２４は球状部、２５は球状突部、２６は凹凸状部、２７は突起である。
【図１】
2006113727.tif 000003
【図２】
2006113727.tif 000004
【図３】
2006113727.tif 000005
【図４】
2006113727.tif 000006
【図５】
2006113727.tif 000007
【図６】
2006113727.tif 000008
【図７】
2006113727.tif 000009
【図８】
2006113727.tif 000010
【図９】
2006113727.tif 000011
【図１０】
2006113727.tif 000012
【図１１】
2006113727.tif 000013
【図１２】
2006113727.tif 000014
【図１３】
2006113727.tif 000015
【図１４】
2006113727.tif 000016